(57)【特許請求の範囲】
【請求項１】
地面に敷設した防草シートに植栽用孔部を形成し、この植栽用孔部から露出した地面に植栽した後に前記植栽用孔部を覆って、前記植栽用孔部からの雑草の繁殖を防止する植栽ワッシャであって、
中心に、植栽した植物の茎が配置される孔部を有し、前記植栽用孔部より大きい板面を有する円板部と、
前記円板部の板面から立設するリブ部と、
前記防草シートにおける前記植栽用孔部の周囲と前記円板部の板面の周囲とを接合する接合部材とを備え、
前記円板部は、一部に前記孔部から半径方向に延びる扇形の欠落部を有する蓮形部と、前記欠落部に適合し、前記蓮形部に着脱自在に形成された扇形部とを有し、
前記リブ部は、前記円板部から、前記植栽用孔部から露出した地面の周囲を囲む大きさの略筒状に立設することを特徴とする植栽ワッシャ。
【請求項２】
前記接合部材は、両面に粘着性を有するテープ部材であることを特徴とする請求項１記載の植栽ワッシャ。
【請求項３】
請求項１の記載の植栽ワッシャの取付方法であって、
前記防草シートにおける前記植栽用孔部の周囲及び前記円板部の一方の板面の周囲の少なくともいずれか一方に前記接合部材による接着面を形成する接着面形成工程と、
前記植栽用孔部から露出した地面に植栽した植物の茎に前記蓮形部の前記欠落部を通して前記茎を前記孔部に位置付けてから、前記蓮形部を地面に押圧して、前記防草シートと前記蓮形部とを接合すると共に前記リブ部を地面に挿入する蓮形部取付工程と、
前記扇形部を前記欠落部に適合させると共に前記防草シートと前記扇形部とを接合させる扇形部取付工程とを備えることを特徴とする植栽ワッシャの取付方法。
【発明の詳細な説明】
【技術分野】
【０００１】
本発明は、地面に敷設した防草シートに植栽用の孔部を形成し、この孔部の地面に植栽した後に、雑草の繁殖を防止するために孔部を覆う植栽ワッシャ及びその取付方法に関する。
【背景技術】
【０００２】
従来、地面に雑草が繁殖することを抑制するための手段の一つとして、例えば、特許文献１に開示されているような防草シートを敷設することがあげられる。
【０００３】
また、防草シートが敷設された領域の美観を向上させるために、防草シートに孔を開け、この孔が空いた領域に植栽することが行われている。
【０００４】
しかし、この場合、植栽した植物の周囲から雑草が発芽して成長することによって雑草が繁殖してしまい、結果として美観が損なわれてしまうことがある。そこで、従来、非特許文献１に開示されているような植栽ワッシャを用いて防草シートに開けた孔を、植栽した植物の根元の部分を除いて覆うことが行われている。これにより、植栽ワッシャが、植栽した植物の周囲から発芽した雑草の成長の妨げとなり、雑草が繁茂することを抑制することが可能になる。
【先行技術文献】
【特許文献】
【０００５】
【特許文献１】特開２０１０−２０９６１８号公報
【非特許文献】
【０００６】
【非特許文献１】“植栽ワッシャー”ＵＲＬ：ｈｔｔｐ：／／ｗｗｗ．ｇｆｉｅｌｄ．ｃｏ．ｊｐ／ｐｒｏｄｕｃｔ／ｚｏｕｅｎ＿５．ｈｔｍｌ
【発明の概要】
【発明が解決しようとする課題】
【０００７】
しかしながら、防草シートと植栽ワッシャとの間に隙間があれば、その隙間から雑草が伸びだすおそれがある。例えば、防草シートに開けた孔部又はその周囲に石が突出している場合には、この石に植栽ワッシャが当接することによって植栽ワッシャの側部が浮き上がり、防草シートと植栽ワッシャとの間に隙間が形成される。そして、植栽ワッシャの内側で発芽した雑草がこの隙間を通って外部に伸びだすおそれがある。
【０００８】
また、雑草が、防草シートと植栽ワッシャとの隙間から伸びだして成長すると、植栽した植物の成長が阻害されるおそれがある。この場合、植栽ワッシャの側部から伸びだした雑草を引き抜く作業が必要となるが、その際、植栽ワッシャが障害となって雑草を引き抜く作業が困難になる。
【０００９】
本発明は、このような問題点を解決し、植栽ワッシャと防草シートとにおける隙間の存在を低減して、雑草の繁殖をより確実に防止することを実現した植栽ワッシャ及びその取付方法を提供することを目的とする。
【課題を解決するための手段】
【００１０】
前記目的を達成するため、本発明は、次に記載する構成を備える。
【００１１】
（１）  地面に敷設した防草シートに植栽用孔部を形成し、この植栽用孔部から露出した地面に植栽した後に前記植栽用孔部を覆って、前記植栽用孔部からの雑草の繁殖を防止する植栽ワッシャであって、中心に、植栽した植物の茎が配置される孔部を有し、前記植栽用孔部より大きい板面を有する円板部と、前記円板部の板面から立設するリブ部と、前記防草シートにおける前記植栽用孔部の周囲と前記円板部の板面の周囲とを接合する接合部材とを備え、前記円板部は、一部に前記孔部から半径方向に延びる扇形の欠落部を有する蓮形部と、前記欠落部に適合し、前記蓮形部に着脱自在に形成された扇形部とを有し、前記リブ部は、前記円板部から、前記植栽用孔部から露出した地面の周囲を囲む大きさの略筒状に立設することを特徴とする植栽ワッシャ。
【００１２】
（１）によれば、植栽ワッシャと防草シートとを接合部材によって接合した場合に、防草シートにおける植栽用孔部の周囲全体において、植栽ワッシャと防草シートとが密着した状態で維持することが可能になり、植栽ワッシャと防草シートとにおける隙間の存在を低減することが可能になる。これにより、植栽用孔部の地面から発芽した雑草が、外部に生え出すことを抑制することができる。
【００１３】
また、円板部にリブ部が立設しているため、まず蓮形部を取り付けるために、植栽した植物の根元の側方に蓮形部の欠落部を配置した際に、リブ部が防草シートに当接することにより、蓮形部の板面が防草シートから離間した状態で維持される。このため、蓮形部を取り付ける際に、誤った位置に蓮形部を貼着してしまうことが防止できる。
【００１４】
（２）  （１）において、前記接合部材は、両面に粘着性を有するテープ部材であることを特徴とする植栽ワッシャ。
【００１５】
（２）によれば、円板部又は防草シートにおける植栽用孔部の周囲にテープ部材を貼着することにより、容易に接着面を形成することが可能になる。
【００１６】
（３）  （１）の植栽ワッシャの取付方法であって、前記防草シートにおける前記植栽用孔部の周囲及び前記円板部の一方の板面の周囲の少なくともいずれか一方に前記接合部材による接着面を形成する接着面形成工程と、前記植栽用孔部から露出した地面に植栽した植物の茎に前記蓮形部の前記欠落部を通して前記茎を前記孔部に位置付けてから、前記蓮形部を地面に押圧して、前記防草シートと前記蓮形部とを接合すると共に前記リブ部を地面に挿入する蓮形部取付工程と、前記扇形部を前記欠落部に適合させると共に前記防草シートと前記扇形部とを接合させる扇形部取付工程とを備えることを特徴とする植栽ワッシャの取付方法。
【００１７】
（３）によれば、植栽ワッシャと防草シートとを接合部材によって接合した場合に、防草シートにおける植栽用孔部の周囲全体において、植栽ワッシャと防草シートとが密着した状態で維持することが可能になり、植栽ワッシャと防草シートとにおける隙間の存在を低減することが可能になる。これにより、植栽用孔部の地面から発芽した雑草が、外部に生え出すことを抑制することができる。
【発明の効果】
【００１８】
本発明によれば、植栽ワッシャと防草シートとにおける隙間の存在を低減することが可能になり、植栽用孔部の地面から発芽した雑草が、植栽ワッシャの外側に生え出すことが抑制される。これにより、地面に敷設した防草シートに植栽用孔部を形成し、この植栽用孔部から露出した地面に植栽した後の雑草の繁殖をより確実に防止することが可能になる。
【図面の簡単な説明】
【００１９】
【図１】本発明の一実施形態における植栽ワッシャの外観を示す斜視図である。
【図２】本実施形態の植栽ワッシャの構成部材を示す分解斜視図である。
【図３】蓮形部と扇形部との連結構造を示す分解斜視図である。
【図４】本実施形態の植栽ワッシャの取付工程を示す説明図である。
【図５】本実施形態の植栽ワッシャを取り付けた状態を示す説明図である。
【図６】本実施形態の植栽ワッシャの使用態様を示す説明図である。
【発明を実施するための形態】
【００２０】
以下、本発明の実施形態について、図面を参照しながら詳細に説明する。
図１は、本発明の一実施形態における植栽ワッシャの外観を示す斜視図、図２は、図１の植栽ワッシャの構成部材を示す分解斜視図である。植栽ワッシャ１は、円板部１０と、リブ２０と、テープ３０、円形シート４０とを備えている。
【００２１】
図１、図２に示すように、円板部１０は、蓮形部１４と、扇形部１６との組合せによって構成される、直径約１５ｃｍの円板体である。また、円板部１０は、中心に直径約２ｃｍの円形の孔部１２を有し、外周部に一対の小孔部１３、１３を２組有している。これら２組の小孔部１３、１３は、円板部１０の中心に対して点対称の位置に形成されている。また、合計４つ形成されている小孔部１３の中の一つが、扇形部１６に形成されており、他の小孔部１３は、蓮形部１４に形成されている。
【００２２】
蓮形部１４は、Ｃ字型の板状部材からなり、図２に示すように、孔部１２の中心から半径方向に延びる扇形の欠落部１５を備えている。扇形部１６は、扇形の板状部材からなり、欠落部１５に適合する形状であり、蓮形部１４に対して着脱自在である。また、図２に示すように、蓮形部１４において欠落部１５を形成する半径方向に延びる両側面部にはレール片１４ａが形成されている。また、扇形部１６における半径方向に延びる両側面部にはレール溝１６ａが形成されている。そして、蓮形部１４のレール片１４ａを扇形部１６のレール溝１６ａに挿入して、欠落部１５に扇形部１６を適合させることにより、一つの円板体が形成される。
【００２３】
図１、図２に示すように、リブ２０は、円筒状に形成されており、円板部１０の板面に対して垂直方向に立設している。また、リブ２０は、円板部１０の一方の板面を平面視した場合に、孔部１２と円板部１０の外周との間に、孔部１２に対して同心円状に配置されている。更に、リブ２０は、蓮形部１４の板面に形成されたリブ２０ａと、扇形部１６の板面に形成されたリブ２０ｂとに分割可能である。なお、以下の説明の便宜上、円板部１０において、リブ２０が立設している板面を裏面、リブ２０が立設していない反対側の板面を表面と称することにする。
【００２４】
テープ３０は、両面に粘着性を有する円環状のテープ部材であり、円板部１０の裏面におけるリブ２０の外側の領域に、同心円状に貼着されている。なお、テープ３０における、円板部１０の裏面に貼着する粘着面の反対側の粘着面には剥離シートが貼着されている。また、円板部１０の裏面にテープ３０を貼着した後に、テープ３０における蓮形部１４と扇形部１６との境界部分に位置する部分が切断されており、蓮形部１４と扇形部１６とを分離した場合、テープ３０も分離する。
【００２５】
このように、円板部１０の裏面を平面視した場合、孔部１２、リブ２０、テープ３０及び円板部１０の外周は同心円状に配置される。リブ２０の半径は、植栽するために防草シート１００（図４参照）に開ける植栽用孔部１０２（図４参照）の半径よりも若干小さく設定されている。また、テープ３０の中心に形成されるリング状の空間の半径は、植栽用孔部１０２（図４参照）の半径よりも長く設定されている。なお、テープ３０の太さは、適宜設定可能であるが、円板部１０の裏面におけるリブ２０の外側の領域全体に貼着できるように、リブ２０から円板部１０外周までの長さとすることが望ましい。
【００２６】
図２において、円形シート４０は、中心から半径方向に１箇所だけ切り込み４２が形成された円形のシート体であり、一方の面にのみ粘着性が付与されている。また、円形シート４０は、孔部１２よりも大きな径（例えば、直径３ｃｍ）であり、伸縮性を有する素材によって構成されている。なお、円形シート４０の粘着面には、通常、剥離シートが貼着されている。円形シート４０は、詳細については後述するが、孔部１２を封止するために用いられる。
【００２７】
図３は、蓮形部と扇形部との連結構造を示す分解斜視図である。蓮形部１４における欠落部１５を形成する両端部の側面には、半径方向に延びるレール片１４ａが形成されている。このレール片１４ａは、蓮形部１４の両端部の側面における厚さ方向の中央部から、円周方向に突出する略矩形形状の薄板である。また、蓮形部１４の表面におけるレール片１４ａの近傍に、係合溝１４ｂが形成されている。係合溝１４ｂは、半径方向に３箇所形成されており、底面がレール片１４ａの表面に面一であるＶ字型の溝である。
【００２８】
扇形部１６における両端部の側面には、半径方向に延びるレール溝１６ａが形成されている。このレール溝１６ａは、扇形部１６の両端部の側面における厚さ方向の中央部から、円周方向に向かう凹部を有している。また、扇形部１６においてレール溝１６ａを形成する表面側の薄板部分に、係合片１６ｂが形成されている。係合片１６ｂは、半径方向に３箇所形成されており、円周方向にＶ字型に延在している。
【００２９】
そして、図２に示すように、レール片１４ａにレール溝１６ａを差し込み、係合片１６ｂを係合溝１４ｂに嵌合することにより、蓮形部１４と扇形部１６とが一体化する。
【００３０】
図４は、植栽ワッシャの取付工程を示す説明図であり、図４（ａ）は、地面に防草シートを敷設する工程を示し、図４（ｂ）は、植栽用孔部を形成する工程を示し、図４（ｃ）は、植栽工程を示し、図４（ｄ）は、蓮形部取付工程を示し、図４（ｅ）は、扇形部取付工程を示し、図４（ｆ）は、アンカー取付工程を示す。
【００３１】
図４において、防草シート１００は、不織布によって構成された可撓性を有するシート部材であり、地面において雑草の繁殖を抑制したい領域に敷設するものである。
【００３２】
まず、図４（ａ）に示すように、法面に防草シート１００を敷設する。次に、図４（ｂ）に示すように、穿孔具１０４を用いて防草シート１００の所定部位に植栽用孔部１０２を形成する。次に、図４（ｃ）に示すように、植栽用孔部１０２から露出している地面に植栽する。この時、植物の茎が植栽用孔部１０２の中心に位置するように植栽する。
【００３３】
次に、図４（ｄ）に示すように、植栽用孔部１０２上に蓮形部１４を取り付ける。具体的には、まず、蓮形部１４の裏面に貼着されているテープ３０から剥離シートを取り除く。この剥離シートを取り除く工程が接着面形成工程に相当する。次に、植物の茎の側方に蓮形部１４を配置し、かつ欠落部１５を対向させる。この時、リブ２０が防草シート１００に当接するため、蓮形部１４の裏面は防草シート１００から離間した状態で維持される。次に、蓮形部１４を茎側に移動させて植物の茎を欠落部１５に通して、植物の茎を孔部１２に位置付ける。
【００３４】
次に、蓮形部１４の欠落部１５に、扇形部１６を取り付ける。具体的には、まず、扇形部１６の裏面に貼着されているテープ３０から剥離シートを取り除く。この剥離シートを取り除く工程も接着面形成工程に相当する。次に、扇形部１６を欠落部１５（図４（ｄ）参照）に配置し、レール片１４ａ（図２参照）にレール溝１６ａ（図２参照）が適合するように、扇形部１６をスライドさせて、係合溝１４ｂに係合片１６ｂを嵌合させる。そして、蓮形部１４及び扇形部１６を地面に向かって押圧する。これにより、図４（ｅ）に示すように、蓮形部１４及び扇形部１６が防草シート１００にテープ３０を介して接合される。
【００３５】
そして、図４（ｆ）に示すように、一対の小孔部１３、１３にアンカー１０６を挿入して蓮形部１４及び扇形部１６を地面に固定する。ここで、アンカー１０６は、針金部材に曲げを施してＵ字状に形成したものであり、アンカー１０６の中央部は小孔部１３、１３の幅の長さであり、両側部は地中に長く差し込まれるように長尺に形成されている。これにより、植栽ワッシャ１が、防草シート１００を敷設した地面に固定される。
【００３６】
最後に、図５に示すように、植栽ワッシャ１の中央部に円形シート４０を貼着する。具体的には、円形シート４０から剥離シートを除去してから、植物の茎の根元に円形シート４０の切り込み４２を開いて植物の茎の根元に挿入し、円形シート４０の中心に位置付ける。そして、孔部１２（図４参照）の周囲の部分に円形シート４０を貼着する。この時、円形シート４０と、植栽ワッシャ１の中央部とに隙間が出来ないようにする。これにより、孔部１２（図４参照）が円形シート４０によって覆われ、孔部１２（図４参照）の地面から発芽した雑草が外部に生え出すことが抑制される。
【００３７】
図６は、本実施形態の植栽ワッシャの使用態様を示す説明図である。図６に示すように、防草シート１００を敷設した地面の複数箇所に植栽し、更に植栽した植物の根元を植栽ワッシャ１で覆うことにより、植栽した植物の周囲から雑草が生えることが抑制される。このため、経時後、植栽した植物が成長することによって、防草シート１００を敷設した地面の美観が向上する。
【００３８】
以上、説明したように本実施形態によれば、植栽ワッシャ１と防草シート１００とをテープ３０によって接合した場合に、テープ３０の全面に防草シート１００を貼着することが可能になる。このため、植栽用孔部１０２の周囲全体において、植栽ワッシャ１と防草シート１００とがテープ３０によって密着した状態になるため、植栽ワッシャ１と防草シート１００とにおける隙間の存在を低減することが可能になる。これにより、植栽用孔部１０２の地面から発芽した雑草が、植栽ワッシャ１と防草シート１００との隙間から外部に生え出すことを抑制することができる。また、孔部１２が円形シート４０によって覆われるため、孔部１２の地面から発芽した雑草が外部に生え出すことを抑制することができる。
【００３９】
また、植栽された植栽用孔部１０２に植栽ワッシャ１を取り付ける際に、まず、Ｃ字型の蓮形部１４を取り付ける。このとき、蓮形部１４は、テープ３０によって防草シート１００に仮止めされた状態で維持されるため、蓮形部１４を防草シート１００に貼着する前に、蓮形部１４がずれることが低減される。また、蓮形部１４の位置が安定しているため、扇形部１６の取り付けも容易になる。このように、植栽ワッシャ１の取り付け作業が容易になる。
【００４０】
また、植栽された植栽用孔部１０２に植栽ワッシャ１を取り付けた場合に、植栽用孔部１０２によって囲まれた地面の周りにリブ２０が差し込まれるため、植栽用孔部１０２の地面から発芽した雑草が植栽ワッシャ１の外周側に延びようとした場合にリブ２０が障害となり、植栽用孔部１０２内の雑草の成長を抑制することが可能になる。
【００４１】
また、蓮形部１４の裏面にリブ２０が立設しているため、植栽した植物の根元の側方に蓮形部１４の欠落部１５を配置した場合に、リブ２０が防草シート１００に当接することにより、蓮形部１４の裏面が防草シート１００から離間した状態で維持される。このため、蓮形部１４を取り付ける際に、誤った位置に蓮形部１４を貼着してしまうことが防止できる。
【００４２】
以上、本発明の実施形態について説明したが、本発明の実施形態は、上述した実施形態に限るものではない。例えば、上述した実施形態においては、テープ３０を予め円板部１０に貼着しているが、それに限らず、テープ３０を植栽用孔部１０２の周囲に貼着してから、テープ３０によって防草シート１００と円板部１０とを接合してもよい。更には、円板部１０と植栽用孔部１０２の周囲との両方にテープ３０を予め貼着してから、テープ３０によって防草シート１００と円板部１０とを接合してもよい。この場合、植栽用孔部１０２の周囲におけるテープ３０の貼着位置と、円板部１０におけるテープ３０の貼着位置とをずらすことにより、植栽ワッシャ１と防草シート１００との隙間をより確実に小さくすることが可能になる。
【００４３】
また、テープ３０による接合に限るものではなく、例えば、円板部１０又は植栽用孔部１０２の周囲に接着剤を塗布してから、円板部１０と防草シート１００と接合してもよい。
【符号の説明】
【００４４】
１  植栽ワッシャ
１０  円板部
１２  孔部
１３  小孔部
１４  蓮形部
１４ａ  レール片
１４ｂ  係合溝
１５  欠落部
１６  扇形部
１６ａ  レール溝
１６ｂ  係合片
２０  リブ
３０  テープ
４０  円形シート
４２  切り込み
１００  防草シート
１０２  植栽用孔部
１０４  穿孔具
１０６  アンカー
【図１】
0005430688.tif 000002
【図２】
0005430688.tif 000003
【図３】
0005430688.tif 000004
【図４】
0005430688.tif 000005
【図５】
0005430688.tif 000006
【図６】
0005430688.tif 000007